【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
所定のネットワークに接続可能な情報処理装置であって、
情報処理に関するユーザの設定を受け付ける設定受付手段と、
前記設定受付手段で受け付けた設定条件に基づく情報処理を行う情報処理手段と、
外部Ｗｅｂアプリケーション部を有する外部装置に対し前記ネットワークを介して接続して前記情報処理手段が前記情報処理を行う外部制御モード、および装置内に組み込まれた内部Ｗｅｂアプリケーション部に接続して前記情報処理手段が前記情報処理を行う内部制御モードを設定可能にする設定手段と、
前記設定手段により設定されたモードのうち、指定手段によって指定されたモードに基づいて前記情報処理手段を制御する制御手段と、
を備えたことを特徴とする情報処理装置。
【請求項２】
所定のネットワークに接続可能な情報処理装置であって、
情報処理に関するユーザの設定を受け付ける設定受付手段と、
前記設定受付手段で受け付けた設定条件に基づく情報処理を行う情報処理手段と、
外部Ｗｅｂアプリケーション部を有する外部装置に対し前記ネットワークを介して接続する通信手段と、
装置本体内に組み込まれる内部Ｗｅｂアプリケーション部と、
前記外部Ｗｅｂアプリケーション部に接続して前記設定受付手段にて受け付けた設定条件に基づいて前記情報処理手段が情報処理を行う外部制御モード、及び前記内部Ｗｅｂアプリケーション部に接続して前記設定受付手段にて受け付けた設定条件に基づいて前記情報処理手段が情報処理を行う内部制御モードのそれぞれを設定可能にする設定手段と、
前記設定手段により設定された前記外部制御モード又は前記内部制御モードのうち、ユーザ操作に基づいて前記外部制御モード及び前記内部制御モードの何れか一方に切り替えるモード切替手段と、
前記モード切替手段により切り替えたモードに基づいて前記情報処理手段を制御する制御手段と、
を備えたことを特徴とする情報処理装置。
【請求項３】
前記設定受付手段は、ユーザの入力を受け付けるための設定画面を表示する表示手段を有し、
前記外部制御モードでは、前記外部Ｗｅｂアプリケーション部から送信される外部制御情報に基づく設定画面を表示する一方、前記内部制御モードでは、前記内部Ｗｅｂアプリケーション部から提供される内部制御情報に基づく設定画面を表示することを特徴とする請求項１又は２に記載の情報処理装置。
【請求項４】
前記設定受付手段は、ユーザの入力を受け付ける設定画面を表示する表示手段を有し、
前記モード切替手段は、前記表示手段にて表示されるモード切替画面でのユーザ操作に基づいて前記外部制御モード及び前記内部制御モードの何れか一方に切り替えることを特徴とする請求項２に記載の情報処理装置。
【請求項５】
前記内部Ｗｅｂアプリケーション部および前記外部Ｗｅｂアプリケーション部に接続可能なサービスプログラムを有し、前記サービスプログラムは、前記情報処理手段による情報処理の結果を前記モード切替手段により切り替えられたモードに対応する前記内部Ｗｅｂアプリケーション部または前記外部Ｗｅｂアプリケーション部の一方に送信することを特徴とする請求項２に記載の情報処理装置。
【請求項６】
前記モード切替手段により切り替えられたモードに対応する送信先から、前記設定受付手段に設定入力するための表示画面を取得して表示するWebブラウザを有し、
前記サービスプログラムは、前記Webブラウザから取得した前記送信先のアドレスに対し、前記情報処理の結果を送信することを特徴とすることを特徴とする請求項５に記載の情報処理装置。
【請求項７】
所定のネットワークに接続可能な情報処理装置であって、
前記ネットワークを経由して外部Ｗｅｂアプリケーションに接続するための設定情報が入力される入力手段と、
前記入力手段で入力された設定情報に基づいて前記外部Ｗｅｂアプリケーションに接続される第１通信手段と、
内部Ｗｅｂアプリケーションのアドレスを記憶するアドレス記憶手段と、
前記アドレス記憶手段に記憶されたアドレスに基づいて前記内部Ｗｅｂアプリケーションに接続される第２通信手段と、
前記第１通信手段を通じて前記外部Ｗｅｂアプリケーションに接続する第１接続モードと前記第２通信手段を通じて前記内部Ｗｅｂアプリケーションに接続する第２接続モードとを切り替えるモード切替手段と、
を備えたことを特徴とする情報処理装置。
【請求項８】
前記モード切替手段によって切り替えられたモードに基づいて、前記入力手段で前記設定情報を入力する際に表示される画面を制御することを特徴とする請求項７に記載の情報処理装置。
【請求項９】
ルーティング機能を有するゲートウェイ部を有し、
前記ゲートウェイ部が構築するネットワーク内に前記内部Ｗｅｂアプリケーションが配置されることを特徴とする請求項７または８に記載の情報処理装置。
【請求項１０】
前記第１通信手段と前記第２通信手段がＷｅｂブラウザを用いた手段であることを特徴とする請求項７乃至９いずれか一項に記載の情報処理装置。
【請求項１１】
前記情報処理装置がＷｅｂサーバを備え、前記モード切替手段が前記Ｗｅｂサーバを介して前記第１接続モードと前記第２接続モードとを切り替えるための要求を受信することを特徴とする請求項７乃至１０いずれか一項に記載の情報処理装置。
【請求項１２】
前記情報処理装置が、文書スキャンニング機能、印刷機能、または、ファックス機能の少なくとも１つの機能又は複数の機能を有することを特徴とする請求項１乃至１１のいずれか一項に記載の情報処理装置。
【請求項１３】
所定のネットワークに接続可能な情報処理装置であって、
情報処理に関するユーザの設定を受け付ける設定受付手段と、
前記設定受付手段で受け付けた設定条件に基づく情報処理を行う情報処理手段と、
前記ネットワークとの間で通信可能に接続される通信手段と、
外部Ｗｅｂアプリケーション部を有する外部装置に対し前記ネットワークを介して接続して前記情報処理手段が前記情報処理を行う外部制御モード、および自装置内に組み込まれる内部Ｗｅｂアプリケーション部に接続して前記情報処理手段が前記情報処理を行う内部制御モードのうち少なくとも一方のモードが設定される設定手段と、
前記設定手段により設定したモードに基づいて前記情報処理手段を制御する制御手段と、を備え、
前記設定手段が前記外部制御モードを設定する場合には、前記通信手段と前記外部Ｗｅｂアプリケーション部との間での通信に予め割り振られる外部通信用ＩＰアドレスを用いた通信制御を行う一方、前記設定手段が前記内部制御モードを設定する場合には、前記通信手段と前記内部Ｗｅｂアプリケーション部との間での通信に予め固定された内部通信用ＩＰアドレスを用いた通信制御を行うことを特徴とする情報処理装置。
【請求項１４】
前記設定受付手段は、ユーザの入力を受け付けるための設定画面を表示する表示手段を有し、
前記外部制御モードでは、前記外部Ｗｅｂアプリケーション部から送信される外部制御情報に基づく設定画面を表示する一方、前記内部制御モードでは、前記内部Ｗｅｂアプリケーション部から提供される内部制御情報に基づく設定画面を表示することを特徴とする請求項１３に記載の情報処理装置。
【請求項１５】
所定のネットワークに接続されるネットワークスキャニング装置であって、
画面表示されるウェブブラウザを通じてユーザからの読取設定を受け付ける設定受付手段と、
原稿の画像を読み取る画像読取手段と、
前記画像読取手段を制御する制御手段と、
前記制御手段は、前記画像読取手段を制御するための制御ドライバと、
ユーザから前記設定受付手段を通じて入力された読取設定を前記制御ドライバに伝達するスキャンサービスプログラムと
前記ネットワークを経由して接続される外部装置が有する外部Ｗｅｂアプリケーション部による制御に基づいて、前記設定受付手段に表示されたウェブブラウザを通じて入力される読取設定を前記スキャンサービスプログラムが前記制御ドライバに伝達する外部制御モードと、
自装置が有する内部Ｗｅｂアプリケーション部による制御に基づいて、前記設定受付手段に表示されたウェブブラウザを通じて入力される読取設定を前記スキャンサービスプログラムが前記制御ドライバに伝達する内部制御モードと、
を有し、
前記制御手段が前記外部制御モードに基づく読取処理を行う場合には、前記スキャンサービスプログラムと前記外部Ｗｅｂアプリケーション部との間での通信に予め割り振られる外部通信用ＩＰアドレスを用いた通信制御を行い、
前記制御手段が前記内部制御モードに基づく読取処理を行う場合には、前記スキャンサービスプログラムと前記内部Ｗｅｂアプリケーション部との間での通信に予め固定された内部通信用ＩＰアドレスを用いた通信制御を行うこと
を特徴とするネットワークスキャニング装置。
【請求項１６】
更に、前記内部制御モードか前記外部制御モードかを判定する制御モード判定部を有することを特徴とする請求項１５に記載のネットワークスキャニング装置。
【請求項１７】
前記ウェブブラウザは、前記内部制御モードの場合に、接続先を前記内部Ｗｅｂアプリケーション部のＩＰアドレスに設定することを特徴とする請求項１５又は１６に記載のネットワークスキャニング装置。
【請求項１８】
前記ウェブブラウザは、前記外部制御モードと判定した場合に、接続先を前記外部Ｗｅｂアプリケーション部のＩＰアドレスに設定することを特徴とする請求項１５又は１６に記載のネットワークスキャニング装置。
【請求項１９】
前記自装置が前記ネットワークに接続されていない場合に、前記内部制御モードに切り替えるか否かをユーザに通知することを特徴とする請求項１５に記載のネットワークスキャニング装置。
【請求項２０】
前記自装置前記ネットワークに接続されていない場合に、自動で前記内部制御モードに切り替えることを特徴とする請求項１５に記載のネットワークスキャニング装置。
【請求項２１】
外部Ｗｅｂアプリケーション部を有する外部装置と、情報処理装置とを所定のネットワークを経由して接続した情報処理システムであって、
前記情報処理装置は、
情報処理に関するユーザの設定を受け付ける設定受付手段と、
前記設定受付手段で受け付けた設定条件に基づく情報処理を行う情報処理手段と、
外部Ｗｅｂアプリケーション部を有する外部装置に対し前記ネットワークを介して接続して前記情報処理手段が前記情報処理を行う外部制御モード、および装置内に組み込まれた内部Ｗｅｂアプリケーション部に接続して前記情報処理手段が前記情報処理を行う内部制御モードを設定可能にする設定手段と、
前記設定手段により設定したモードのうち、指定手段によって指定されたモードに基づいて前記情報処理手段を制御する制御手段と、を備え、
前記情報処理装置が情報処理を行った処理データは、前記設定受付手段により受け付けた所定の宛先に対し、前記情報処理装置が有する通信手段により送信されることを特徴とする情報処理装置。
【請求項２２】
外部Ｗｅｂアプリケーション部を有する外部装置と、情報処理装置とを所定のネットワークを経由して接続した情報処理システムであって、
前記情報処理装置は、
外部Ｗｅｂアプリケーション部を有する外部装置に前記ネットワークを経由して接続する通信手段と、
情報処理に関するユーザの設定を受け付ける設定受付手段と、
前記設定受付手段で受け付けた設定条件に基づく情報処理を行う情報処理手段と、
装置本体内に組み込まれる内部Ｗｅｂアプリケーション部と、
前記外部Ｗｅｂアプリケーション部に接続して前記設定受付手段にて受け付けた設定条件に基づいて前記情報処理手段が情報処理を行う外部制御モード、及び前記内部Ｗｅｂアプリケーション部に接続して前記設定受付手段にて受け付けた設定条件に基づいて前記情報処理手段が情報処理を行う内部制御モードのそれぞれを設定可能にする設定手段と、
前記設定手段により設定された前記外部制御モード又は前記内部制御モードの何れか一方に切り替えるモード切替手段と、
前記モード切替手段により切り替えたモードに基づいて前記情報処理手段を制御する制御手段と、を備えたことを特徴とする情報処理システム。
【手続補正２】
【補正対象書類名】明細書
【補正対象項目名】００３５
【補正方法】変更
【補正の内容】
【００３５】
ここで、本実施形態のネットワークスキャニング装置８２は、外部装置８１が有する外部Ｗｅｂアプリケーションサーバ８１１を用いた読取制御（外部制御モード）と、自装置が有する内部Ｗｅｂアプリケーションサーバ８３０を用いた読取制御（内部制御モード）とを切り替え、ユーザに対してスキャンサービスを提供することが可能である。なお、外部Ｗｅｂアプリケーションサーバ８１１は、外部装置が有する外部Ｗｅｂアプリケーション部の一例であり、内部Ｗｅｂアプリケーションサーバ８３０は、自装置本体内に組み込まれる内部Ｗｅｂアプリケーション部の一例である。
【手続補正３】
【補正対象書類名】明細書
【補正対象項目名】０１９４
【補正方法】変更
【補正の内容】
【０１９４】
外部ネットワークに接続されていない場合、制御部８２４は、ネットワークエラーを通知し、エラー通知を受けとったユーザＩ／Ｆ部８２２は、内部Ｗｅｂアプリケーションサーバ８３０に切り替えるか否かを確認する図２１のような警告画面を表示する（ステップＳ８６１）。